(57)【要約】【課題】本発明は、木材腐朽菌に対して高い殺菌効果を示する木材保護剤を提供することを課題とする。【解決手段】本発明の木材保護用剤は、次式（１）【化１】2004059453.tif 000005で示されるオキスポコナゾール（（ＲＳ）−１−｛２−［３−（４−クロロフェニル）プロピル］−２，４，４−トリメチル−１，３−オキサゾリジン−３−イルカルボニル｝イミダゾール）、及びその塩が木材腐朽菌であるカワラタケ、オオウズラタケなどに対して高い殺菌効果を示すことを見出し、完成した。【選択図】　　　　　なし【特許請求の範囲】
【請求項１】
次式（１）：
【化１】
2004059453.tif 000004
で示されるオキスポコナゾール、及びその塩を有効成分として含有する木材保護剤。
【請求項２】
請求項１の塩が、カルボン酸の塩である木材保護剤。
【請求項３】
請求項１の塩が、フマル酸塩である木材保護剤。
【発明の詳細な説明】
【０００１】
【発明の属する技術分野】本発明はオキスポコナゾール（（ＲＳ）−１−｛２−［３−（４−クロロフェニル）プロピル］−２，４，４−トリメチル−１，３−オキサゾリジン−３−イルカルボニル｝イミダゾール）、及びその塩を有効成分として含有することを特徴とする木材保護剤に関するものである。
【０００２】
【従来の技術】オキスポコナゾールは特開平３−６８５７３号公報において、またそのフマル酸塩は特開平７−３０４７７４号公報、特開平７−３０４７７４号公報において、その製造法が述べられ、かつ農園芸用の有害生物防除活性が記述されている。しかしながら、木材保護剤の性能に求められる木材腐朽菌、カワラタケ（Ｔｒａｍｅｔｅｓ　ｖｅｒｓｉｃｏｌｏｒ）やオオウズラタケ（Ｆｏｍｉｔｏｐｓｉｓ　ｐａｌｕｓｔｒｉｓ）等に対する殺菌活性については記載されていない。
木材保護剤としてはフェノール系、有機ヨード系、ベンズイミダゾール系、トリアゾール系、ニトリル系、四級アンモニウム塩系、チオシアネート系などの化合物が知られているが、特に有機ヨード系、トリアゾール系の化合物が担子菌類である前記木材腐朽菌に対して効力をもつものとして知られている。しかしながら、有機ヨード系化合物は持続性が十分でなく、またトリアゾール系化合物も十分な活性とは言えない。
【０００３】
【発明が解決しようとする課題】本発明の課題は、木材腐朽菌に対して高い効果を有する木材保護剤を提供することである。
【０００４】
【課題を解決するための手段】本発明者らは、前記の課題を解決するために検討した結果、オキスポコナゾール、及びその塩が顕著な木材腐朽菌に対する殺菌活性を有することを見出し、本発明を完成した。
【０００５】
即ち、木材保護剤として効果のある有効成分として、次式（１）：
【化２】
2004059453.tif 000002
式（１）で示されるオキスポコナゾール、及びその塩を挙げることができる。
【０００６】
本発明の化合物、及びその塩の使用は、特定の製剤に限定されるものでない。さらに、本発明の化合物、又はその塩は単独で使用することもでき、あるいは他の薬剤と混合することによって使用することもできる。他の薬剤としては、先に例示した木材保護剤を挙げることができ、また殺虫剤として、合成ピレスロイド、カーバメート系、ネオニコチノイド系などを挙げることができる。これらを適宜配合して用いることで、より高性能の木材保護剤を提供できる。
【０００７】
【発明の実施の形態】
以下、本発明について詳細に説明する。
本発明の化合物（１）は特開平３−６８５７３号公報に記載の方法で合成できる。
本発明には化合物（１）の塩も含まれる。
塩は酸付加塩であり、酸付加塩を形成する酸としては、例えば、塩酸、臭化水素酸、硝酸、硫酸、リン酸などの無機酸、ギ酸、シュウ酸、フマル酸、アジピン酸、ステアリン酸、オレイン酸、アコニット酸などのカルボン酸、メタンスルホン酸、ベンゼンスルホン酸、ｐ−トルエンスルホン酸などのスルホン酸、サッカリンなどを挙げることができるが、好ましくはカルボン酸、更に好ましくはフマル酸である。
【０００８】
〔防除効果〕
本発明の化合物（１）及びその塩で殺菌効果が認められる木材腐朽菌としては、例えば、カワラタケ（Ｔｒａｍｅｔｅｓ　ｖｅｒｓｉｃｏｌｏｒ）やオオウズラタケ（Ｆｏｍｉｔｏｐｓｉｓ　ｐａｌｕｓｔｒｉｓ）等の担子菌類を挙げることができる。
【０００９】
〔木材保護殺菌剤〕
化合物（１）及びその塩は、単独で使用することもできるが、通常は常法によって、担体、界面活性剤、分散剤、補助剤などを配合して使用することが好ましい。
【００１０】
担体としては、例えば、タルク、ベントナイト、クレー、カオリン、ケイソウ土，ホワイトカーボン、バーミキュライト、消石灰、ケイ砂、硫安、尿素などの固体担体や、炭化水素（ケロシン、鉱油など）、芳香族炭化水素（ベンゼン、トルエン、キシレンなど）、塩素化炭化水素（クロロホルム、四塩化炭素など）、エーテル類（ジオキサン、テトラヒドロフランなど）、ケトン類（アセトン、シクロヘキサノン、イソホロンなど）、エステル類（酢酸エチル、エチレングリコールアセテート、マレイン酸ジブチルなど）、アルコール類（メタノール、ｎ−ヘキサノール、エチレングリコールなど）、極性溶媒（ジメチルホルムアミド、ジメチルスルホキシドなど）、水などの液体担体や、空気、窒素、炭酸ガス、フレオンなどの気体担体などを挙げることができる。
【００１１】
本発明の化合物、又はその塩の製剤の木材への付着、吸収の向上、分散、乳化、展着などの性能を向上させるために使用できる界面活性剤や分散剤としては、例えば、アルコール硫　酸エステル類、アルキルスルホン酸塩、リグニンスルホン酸塩、ポリオキシエチレングリコールエーテルなどを挙げることができる。そして、その製剤の性状を　改善するためには、例えば、カルボキシメチルセルロース、ポリエチレングリコール、アラビアゴムなどを補助剤として用いることができる。
本剤の製造では、前記の担体，界面活性剤，分散剤及び補助剤をそれぞれの目的に応じて、各々単独で又は組み合わせて使用することができる。
【００１２】
本発明の化合物（１）及びその塩を製剤化した場合の有効成分濃度は、乳剤では通常１〜５０重量％、粉剤では通常０．３〜２５重量％、水和剤では通常１〜９０重量％、粒剤では通常０．５〜５重量％、油剤では通常０．５〜５重量％、エアゾールでは通常０．００１〜５重量％である。
これらの製剤はそれぞれの目的に応じて適切な濃度に希釈して、例えば噴霧、コーティング、燻煙、吹付け又は含浸法（例えば浸漬、浸透、加圧、真空および二重真空法）を用いることができる。
【００１３】
本発明の木材保護剤は、他の薬剤と混合することによって使用することもできる。
他の薬剤としては、フェノール系、有機ヨード系、ベンズイミダゾール系、トリアゾール系、ニトリル系、四級アンモニウム塩系、チオシアネート系などの防腐剤を挙げることができ、また殺虫剤として、合成ピレスロイド、、カーバメート系、ネオニコチノイド系などを挙げることができる。
【００１４】
フェノール系としてはトリブロモフェノール、ｐ−ブロム−２，５−ジクロロフェノール、ｐ−（２−フェニル−イソプロピル）フェノール（ｐ−クミルフェノール）などが挙げられる。
有機ヨード系としては４−クロロフェニル−３−ヨードプロパルギルホルマール（ＩＦ−１０００）、３−エトキシカルボニルオキシ−１−プロペン（「サンプラス」）、３−ヨード−２−プロペニルブチルカルバメート（ＩＰＢＣ、「トロイサン」）などが挙げられる。
【００１５】
ベンズイミダゾール系としては、２−（４−チアゾリル）ベンゾイミダゾール（「ＴＢＺ」）などが挙げられる。
トリアゾール系としては、２−（４−クロロフェニル）−３−シクロプロピル−１−（１，２，４−トリアゾール−１−イル）ブタン−２−ジオール（「シプロコナゾール」）、１−（ｐ−クロロフェニル）−４，４−ジメチル−３−（１，２，４−トリアゾール−１−イル）メチルペンタン−３−オール（「テブコナゾール」）などが挙げられる。
【００１６】
ニトリル系としては、テトラクロロイソフタロニトリルなどが挙げられる。
四級アンモニウム塩系としては、ジデシルジメチルアンモニウムクロリド、塩化ベンザルコニウムなどが挙げられる。
【００１７】
チオシアネート系としては、メチレンビスチオシアネート（「ＭＢＴ」）で代表されるアルキレンビス（チオシアネート）類が挙げられる。
合成ピレスロイドとしては、２−（ｐ−エトキシフェニル）−２−メチルプロピル−３−フェノキシベンジルエーテル（「エトフェンプロックス」）などが挙げられる。
【００１８】
カーバメート系としては、カルバリル、メソミル、カーボフラン、カルボスルファン、３−ヨード−２−プロペニルブチルカルバメート（「トロイサン」）などが挙げられる。
ネオニコチノイド系としては、イミダクロプリド、ニテンピラム、アセタミプリドなどが挙げられる。
【００１９】
本発明の木材保護剤が適用される木材は樹種などを問わず。形態、形状、大きさ、長さ、厚さも限定されない。例えば、外壁、玄関回り、ベランダ、板塀などの屋外用木材、浴室、洗面所回りなどの屋内水回り用木材などに適用される。
【００２０】
【実施例】以下、本発明を参考例及び実施例によって具体的に説明する。なお、これらの参考例及び実施例は、本発明を限定するものではない。
【００２１】
実施例１〔効力試験〕
オキスポコナゾール（（ＲＳ）−１−｛２−［３−（４−クロロフェニル）プロピル］−２，４，４−トリメチル−１，３−オキサゾリジン−３−イルカルボニル｝イミダゾール）（以下、ＩＰＯと略す）、そのフマル酸（以下、ＩＰＯ．ＦＡと略す）の各々のアセトン溶液（０．１ｍｌ）を濃度５．０、１．７、０．３、０．１ｐｐｍになるようポテトデキストローズ寒天培地（以下、ＰＤＡ培地と略す）（１０ｍｌ）に混入させ平板培地を作成した。
予めＰＤＡ培地に生育させたカワラタケ（Ｔｒａｍｅｔｅｓ　ｖｅｒｓｉｃｏｌｏｒ、農業生物資源研究所ＭＡＦＦ４２０００２　）とオオウズラタケ（Ｆｏｍｉｔｏｐｓｉｓ　ｐａｌｕｓｔｒｉｓ、農業生物資源研究所ＭＡＦＦ４２０００１）の菌叢をメスで約１ｍｍ四方に切り取り、作成した薬剤入り平板培地へ接種した。２５℃、暗黒下で６日間培養し、薬剤無添加区と菌叢直径を比較した。その最小生育阻止濃度（ｐｐｍ）を表１に示した。
【００２２】
比較例〔対照試験〕
テブコナゾールのアセトン溶液（０．１ｍｌ）を濃度５．０、１．７、０．３、０．１ｐｐｍになるようＰＤＡ培地（１０ｍｌ）に混入させ平板培地を作成した。
カワラタケとオオウズラタケに対する効力試験、及び効力評価は、上記オキスポコナゾールの効力試験、及び効力評価に準じて行った。結果を表１に示す。
【００２３】
【表１】
試験区、対照区の最小生育阻止濃度（ｐｐｍ）
2004059453.tif 000003
【００２４】
【発明の効果】
本発明の木材保護殺菌剤は、木材腐朽菌であるカワラタケ、オオウズラタケに対して高い殺菌効果を示す。